(57)【特許請求の範囲】
【請求項１】
立板部と、この立板部の基端となる側縁から折れ曲がって前記立板部の両側方または一側方に延びる接合板部とでなり、前記接合板部が、木造建物の柱およびこの柱上の柱上梁のいずれかの側面またはこの側面に設けられた座彫りの底面に沿って配置され、前記立板部が、前記柱または前記柱上梁の前記側面に対して突き合わせ状態となる第１の梁の端面に設けられた上下方向に延びるスリット内に挿入される梁受金物であって、
前記立板部の先端に、前記第１の梁の先端に前記スリットを貫通して設けられたピン挿通孔に挿通された固定ピンを挿通させる固定ピン挿通孔および固定ピン挿通切り欠きのいずれか一方または両方を有し、
前記接合板部における前記立板部の存在する幅方向位置に、前記柱と接合するボルトを挿通する梁受金物取付用のボルトの挿通孔を設けると共に、
このボルトの突出部分が前記立板部と干渉することを回避する切り欠きを、前記立板部に基端から先端側へ延びて設け、
この切り欠きの先端位置を、前記第１の梁の端部の側面に先端が当接された合わせ梁の端面へ前記第１の梁を貫通して進入する合わせ梁接合用のボルトが貫通可能な位置まで広げ、
前記立板部における前記切り欠きの先端付近に、他の梁受金物と接合する金物相互接合部材を挿通する相互接合部材挿通孔を設けた、
木造建物の梁受金物。
【請求項２】
立板部と、この立板部の基端となる側縁から折れ曲がって前記立板部の両側方または一側方に延びる接合板部とでなり、前記接合板部が、木造建物の柱およびこの柱上の柱上梁のいずれかの側面またはこの側面に設けられた座彫りの底面に沿って配置され、前記立板部が、前記柱または前記柱上梁の前記側面に対して突き合わせ状態となる第１の梁の端面に設けられた上下方向に延びるスリット内に挿入される梁受金物であって、
前記立板部の先端に、前記第１の梁の先端に前記スリットを貫通して設けられたピン挿通孔に挿通された固定ピンを挿通させる固定ピン挿通孔および固定ピン挿通切り欠きのいずれか一方または両方を有し、
前記接合板部における前記立板部の存在する幅方向位置に、前記柱と接合するボルトを挿通する梁受金物取付用のボルトの挿通孔を設けると共に、
このボルトの突出部分が前記立板部と干渉することを回避する切り欠きを、前記立板部に基端から先端側へ延びて設け、
この切り欠きの先端位置を、前記第１の梁の端部の側面に先端が当接された合わせ梁の端面へ前記第１の梁を貫通して進入する合わせ梁接合用のボルトが貫通可能な位置まで広げ、
前記接合板部は、前記立板部の基端から折れ曲がって一側方に延びる接合板部主部と、前記切り欠きの形成により生じて前記接合板部主部と同一平面で延びる切り起こし片とでなる、
木造建物の梁受金物。
【請求項３】
請求項１または請求項２において、前記切り欠きの先端は、前記立板部の横幅の中央位置よりも先端側である木造建物の梁受金物。
【請求項４】
請求項２において、前記立板部における前記切り欠きの先端付近に、他の梁受金物と接合する金物相互接合部材を挿通する相互接合部材挿通孔を設けた木造建物の梁受金物。
【請求項５】
木造建物の木質の柱と、この柱の前記側面に対して端面が突き合わせ状態となる第１の梁と、この第１の梁に対して直角方向に延びて前記柱の側面に隣合う側面に端面が突き合わせ状態となる合わせ梁とを接合する木造柱・梁の接合構造であって、
梁受金物が用いられ、この梁受金物は、立板部と、この立板部の基端となる側縁から折れ曲がって前記立板部の両側方または一側方に延びる接合板部とでなり、前記接合板部が、木造建物の柱およびこの柱上の柱上梁のいずれかの側面またはこの側面に設けられた座彫りの底面に沿って配置され、前記立板部が、前記柱または前記柱上梁の前記側面に対して突き合わせ状態となる第１の梁の端面に設けられた上下方向に延びるスリット内に挿入される梁受金物であって、前記立板部の先端に、前記第１の梁の先端に前記スリットを貫通して設けられたピン挿通孔に挿通された固定ピンを挿通させる固定ピン挿通孔および固定ピン挿通切り欠きのいずれか一方または両方を有し、前記接合板部における前記立板部の存在する幅方向位置に、前記柱と接合するボルトを挿通する梁受金物取付用のボルトの挿通孔を設けると共に、このボルトの突出部分が前記立板部と干渉することを回避する切り欠きを、前記立板部に基端から先端側へ延びて設け、この切り欠きの先端位置を、前記第１の梁の端部の側面に先端が当接された合わせ梁の端面へ前記第１の梁を貫通して進入する合わせ梁接合用のボルトが貫通可能な位置まで広げたものであり、
前記梁受金物における前記接合板部を、前記の柱の側面またはこの側面に設けられた座彫りの底面に沿って配置し、前記立板部を前記第１の梁の端面に設けられた上下方向に延びるスリット内に挿通し、
前記梁受金物の接合板部の前記挿通孔に、前記柱に挿通したボルトを挿通させてこのボルトにより前記接合板部を前記柱に固定し、
前記第１の梁の前記ピン挿通孔に固定ピンを挿通しこの固定ピンを前記梁受金物の前記固定ピン挿通孔に挿通して前記第１の梁を前記梁受金物に受けさせ、
前記第１の梁を貫通して進入する合わせ梁接合用のボルトを、前記梁受金物の前記切り欠きに挿通して前記合わせ梁接合用のボルトを前記合わせ梁の端面へ進入させた、
木造柱・梁の接合構造。
【請求項６】
請求項５において、前記梁受金物の他に、請求項１記載の梁受金物と同一形状の第２および第３の梁受金物を用い、
第２の梁受金物は、前記柱の第２の梁側を向く側面またはこの側面に設けられた座彫りの底面に沿って配置し、第２の梁受金物の立板部を第２の梁の端面に設けられた上下方向に延びるスリット内に挿入し、第２の梁受金物の接合板部の挿通孔に、前記柱に挿通したボルトを挿通させてこのボルトにより第２の梁受金物の接合板部を前記柱に固定し、前記第２の梁の前記固定ピン挿通孔に固定ピンを挿通しこの固定ピンを前記第２の梁受金物の固定ピン挿通孔および固定ピン挿通切り欠きのいずれか一方または両方に挿通して前記第２の梁を前記梁受金物に受けさせ、
第３の梁受金物は、第１の梁の第２の梁側を向く側面またはこの側面に設けられた座彫りの底面に沿って配置し、第３の梁受金物の立板部を前記合わせ梁の端面に設けられた上下方向に延びるスリット内に挿入し、第３の梁受金物の接合板部の挿通孔に、前記第１の梁に挿通したボルトを挿通させてこのボルトにより第３の梁受金物の接合板部を前記第１の梁に固定し、前記合わせ梁の前記ピン挿通孔に固定ピンを挿通しこの固定ピンを前記第３の梁受金物の前記固定ピン挿通孔および固定ピン挿通切り欠きのいずれか一方または両方に挿通して前記合わせ梁を前記第３の梁受金物に受けさせ、
前記第２の梁受金物の相互接合部材挿通孔と第３の梁受金物の相互接合部材挿通孔とに渡って金物相互接合部材を挿通させた、
木造柱・梁の接合構造。
【請求項７】
木造建物の柱と、この柱の上端面に下面が固定された木質の柱上梁と、この柱上梁の側面における前記柱の上方に位置する部分に対して端面が突き合わせ状態となる第１の梁と、前記柱上梁に沿い前記第１の梁に対して直角方向に延びて端面が前記第１の梁の側面突き合わせ状態となる合わせ梁とを接合する木造柱・梁の接合構造であって、
梁受金物が用いられ、この梁受金物は、立板部と、この立板部の基端となる側縁から折れ曲がって前記立板部の両側方または一側方に延びる接合板部とでなり、前記接合板部が、木造建物の柱およびこの柱上の柱上梁のいずれかの側面またはこの側面に設けられた座彫りの底面に沿って配置され、前記立板部が、前記柱または前記柱上梁の前記側面に対して突き合わせ状態となる第１の梁の端面に設けられた上下方向に延びるスリット内に挿入される梁受金物であって、前記立板部の先端に、前記第１の梁の先端に前記スリットを貫通して設けられたピン挿通孔に挿通された固定ピンを挿通させる固定ピン挿通孔および固定ピン挿通切り欠きのいずれか一方または両方を有し、前記接合板部における前記立板部の存在する幅方向位置に、前記柱と接合するボルトを挿通する梁受金物取付用のボルトの挿通孔を設けると共に、このボルトの突出部分が前記立板部と干渉することを回避する切り欠きを、前記立板部に基端から先端側へ延びて設け、この切り欠きの先端位置を、前記第１の梁の端部の側面に先端が当接された合わせ梁の端面へ前記第１の梁を貫通して進入する合わせ梁接合用のボルトが貫通可能な位置まで広げたものであり、
前記梁受金物における前記接合板部を、前記の柱上梁の側面またはこの側面に設けられた座彫りの底面に沿って配置し、前記立板部を前記第１の梁の端面に設けられた上下方向に延びるスリット内に挿通し、
前記梁受金物の接合板部の前記挿通孔に、前記柱上梁に挿通したボルトを挿通させてこのボルトにより前記接合板部を前記柱上梁に固定し、
前記第１の梁の前記ピン挿通孔に固定ピンを挿通しこの固定ピンを前記梁受金物の前記固定ピン挿通孔に挿通して前記第１の梁を前記梁受金物に受けさせ、
前記第１の梁を貫通して進入する合わせ梁接合用のボルトを、前記梁受金物の前記切り欠きに挿通して前記合わせ梁接合用のボルトを前記合わせ梁の端面へ進入させた、
木造柱・梁の接合構造。
【発明の詳細な説明】
【技術分野】
【０００１】
この発明は、木造建物の柱・梁接合に用いられる梁受金物、およびこの梁受金物を用いた木造柱・梁の接合構造に関する。
【背景技術】
【０００２】
木造建物の柱・梁接合に用いられる梁受金物として、図２３に示す１スリットタイプののものや、図２４に示す２スリットタイプのものが知られている。図２３に示す１スリットタイプの梁受金物５１は、図２３（Ａ）に破断平面図で示すように、１つの立板部５２と、この立板部５２の基端から両側方に延びる接合板部５３とを有する断面Ｔ字状の金物である。図２３（Ｂ）に正面図で示すように、梁受金物５１の立板部５２には複数の切り欠き５４とピン挿通孔５５が設けられ、接合板部５３には複数のボルト挿通孔（図示せず）が設けられる。また、図２３（Ａ）のように、梁８０の端面には上下方向に延びる１つのスリット８１が設けられる。上記梁受金物５１を用いて、木造建物の柱７０の一側面に梁８０を接合する場合、先ず、柱７０の前記側面に梁受金物５１の接合板部５３をボルト５６（図２３（Ｂ））で固定する。このボルト止めにおいて、梁受金物５１の立板部５２の切き欠き５４は、梁受金物５１側へのボルト５６の突出を許容する。次に、図２３（Ａ）のように梁８０の端面に形成されたスリット８１内に梁受金物５１の立板部５２を挿入し、梁８０の側面からその幅方向に貫通して設けられるピン挿通孔（図示せず）から、梁受金物５１のピン挿通孔５５に渡って固定ピン５７を挿通する。これにより、梁８０を梁受金物５１に受けさせる。
【０００３】
図２４に示す２スリットタイプの梁受金物６１は、図２４（Ａ）に破断平面図で示すように、互いに平行に並ぶ２つの立板部６２，６２と、これら両立板部６２の基端となる側縁から折れ曲がって両立板部６２を連結する接合板部６３とを有する断面Ｕ字状の金物である。図２４（Ｂ）に正面図で示すように、梁受金物６１の両立板部６２には複数のピン挿通孔６５が設けられ、接合板部６３には複数のボルト挿通孔（図示せず）が設けられる。また、図２４（Ａ）のように、梁８０  の端面には上下方向に延びる互いに平行な２つのスリット８１Ａ，８１Ａが設けられる。この両スリット８１Ａの基端側は座彫り部８２で連通させてある。上記梁受金物６１を用いて、木造建物の柱７０の一側面に梁８０を接合する場合、先ず、図２４（Ａ）のように柱７０の前記側面に梁受金物６１の接合板部６３をボルト５６（図２４（Ｂ））で固定する。次に、図２４（Ａ）のように梁８０の端面に形成された両スリット８１Ａ内に梁受金物６１の両立板部６２を挿入し、梁８０の側面からその幅方向に貫通して設けられるピン挿通孔（図示せず）から、梁受金物６１における両立板部６２のピン挿通孔６５に渡って固定ピン５７を挿通する。これにより、梁８０を梁受金物６１に受けさせる。この接合状態において、梁８０の両スリット８１Ａの基端側を連通させる座彫り部８２は、梁受金物６１側へのボルト５６の突出を許容する。
【先行技術文献】
【特許文献】
【０００４】
【特許文献１】特開２００７−２７８０２７号公報
【特許文献２】特開２００６−３２８７０９号公報
【特許文献３】特開２００８−２１５０５７号公報
【発明の概要】
【発明が解決しようとする課題】
【０００５】
上記したように、従来の梁受金物として１スリットタイプと２スリットタイプのものが知られているが、その多くは２スリットタイプであり、１スリットタイプのものは極めてまれである。２スリットタイプの場合、梁８０に２のスリット８１Ａを形成する必要があるため、梁８０の加工工数が増える。
しかし、梁受金物の多くは上記したようにボルトで柱に固定するため、図２３に示したような１スリットタイプのものでは、その立板部５２と固定用のボルト５６が軸心位置に来るように構成すると、ボルト５６が立板部５２と干渉してしまう。この干渉を避けるためには、ボルト５６を軸心から偏心させたり、図２３の例のように立板部５２にボルト５６との干渉を避けるための切り欠き５４を設けるなどの処置が必要であり、これらの観点から１スリットタイプのものの採用が少ないと考えられる。
【０００６】
また、図２５のように、柱７０に接合される梁８０Ｂに隣接して、別の合わせ梁８０Ｃを配置する場合、この合わせ梁８０Ｃと直角に配置されて柱７０に接合される梁８０Ａから合わせ梁８０Ｃに向けて梁受金物５１を固定するボルト５８を貫通させようとすると、そのボルト５８が梁８０Ａを受ける梁受金物５１と干渉するため、接合できない。また、柱７０に接合される梁８０Ｂと、これに隣接する合わせ梁８０Ｃとを、これらの幅方向に貫通するボルト５９で連結しようとしても、これらの梁８０Ｂ，８０Ｃを受ける梁受金物５１の立板部５２にボルト５９が干渉してしまう。この合わせ梁８０Ｃの受け用ボルト５９の干渉については、２スリットタイプでも同じである。そのため、在来工法の接合金物などを併用しなくてはならないなど、複雑な納まりとなる。
【０００７】
この発明の目的は、木造柱・梁の接合において、１スリットタイプでありながら、柱または柱上梁への固定用のボルトの干渉が回避でき、かつ合わせ梁を接合するボルトとの干渉回避が簡素な構成で行える梁受金物を提供することである。
この発明の他の目的は、合わせ梁を有する木造柱・梁の接合を、同一形状の１スリットタイプの梁受金物を複数用いて行うことができ、しかも梁受金物が簡素な構成で済む木造柱・梁の接合構造を提供することである。
この発明のさらに他の目的は、柱上梁とこれに突き合わせられる梁との接合が、１スリットタイプ梁受金物で、合わせ梁の接合用のボルトとの干渉を回避して簡素な構成で行える木造柱・梁の接合構造を提供することである。
【課題を解決するための手段】
【０００８】
この発明の木造建物の梁受金物は、立板部と、この立板部の基端となる側縁から折れ曲がって前記立板部の両側方または一側方に延びる接合板部とでなり、前記接合板部が、木造建物の柱およびこの柱上の柱上梁のいずれかの側面またはこの側面に設けられた座彫りの底面に沿って配置され、前記立板部が、前記柱または前記柱上梁の前記側面に対して突き合わせ状態となる第１の梁の端面に設けられた上下方向に延びるスリット内に挿入される梁受金物であって、前記立板部の先端に、前記第１の梁の先端に前記スリットを貫通して設けられたピン挿通孔に挿通された固定ピンを挿通させる固定ピン挿通孔および固定ピン挿通切り欠きのいずれか一方または両方を有し、前記接合板部における前記立板部の存在する幅方向位置に、前記柱と接合するボルトを挿通する梁受金物取付用のボルトの挿通孔を設けると共に、このボルトの突出部分が前記立板部と干渉することを回避する切り欠きを、前記立板部に基端から先端側へ延びて設け、この切り欠きの先端位置を、前記第１の梁の端部の側面に先端が当接された合わせ梁の端面へ前記第１の梁を貫通して進入する合わせ梁接合用のボルトが貫通可能な位置まで広げたことを基本構成とする。
なお、前記「座彫り」は「座繰り」とも言う。
【０００９】
この構成によると、梁のスリットに挿入される立板部と柱に固定する接合板部とを有する梁受金物において、柱または柱上梁へ接合するボルトが立板部と干渉することを回避する切り欠きを前記立板部に設けたため、１スリットタイプでありながら、柱または柱上梁への接合用のボルトの干渉が回避できる。また、この切り欠きの先端位置を、合わせ梁接合用のボルトが貫通可能な位置まで広げたため、合わせ梁の接合用ボルトのとの干渉も回避できる。しかも、柱または柱上梁への接合用のボルトの干渉を回避する切り欠きの先端位置を広げただけで、合わせ梁の接合用のボルトとの干渉も回避でき、前記切り欠きを２種のボルトの干渉回避に兼用できる。そのため、それぞれのボルトに専用の干渉回避部分を形成する必要がなく、梁受金物が簡素な構成となる。切り欠きの先端位置を広げたことに伴い、その切り欠きをボルト締め作業に利用できて、ボルト締め付け用の工具種類の選択や、締め付け方法の選択の自由度も高まる。
【００１０】
この発明の前記基本構成において、前記切り欠きの先端は、前記立板部の横幅の中央位置よりも先端側であるのが望ましい。前記切り欠きの先端が立板部中央位置よりも先端側であると、合わせ梁の接合用のボルトとの干渉を前記切り欠きで行うにつき、この接合用のボルトの位置を一般的な柱梁の設計においてボルト位置を特に変更することなく回避できる。
【００１１】
この発明における第１の木造建物の梁受金物は、前記基本構成において、前記立板部における前記切り欠きの先端付近に、他の梁受金物と接合する金物相互接合部材を挿通する相互接合部材挿通孔を設ける。
この構成の場合、柱の側面に接合される梁を受ける梁受金物と、前記梁に隣接する合わせ梁を受ける梁受金物とを、これら両梁受金物の立板部の相互接合部材挿通孔に渡って金物相互接合部材を挿通させることにより接合でき、合わせ梁にかかる鉛直荷重を効率よく柱に伝達することができる。
【００１２】
この発明における他の木造建物の梁受金物は、前記接合板部が、前記立板部の基端から折れ曲がって一側方に延びる接合板部主部と、前記切り欠きの形成により生じて前記接合板部主部と同一平面で延びる切り起こし片とでなるものとする。
このように接合板部の一部を、前記切り欠きの形成により生じた切り起こし片とすることで、溶接などの接続処理を要することなく、１枚の板から梁受金物を形成でき、梁受金物の製造が容易である。
【００１３】
この発明の木造柱・梁の接合構造は、木造建物の木質の柱と、この柱の前記側面に対して端面が突き合わせ状態となる第１の梁と、この第１の梁に対して直角方向に延びて前記柱の側面に隣合う側面に端面が突き合わせ状態となる合わせ梁とを接合する木造柱・梁の接合構造であって、この発明の前記いずれかの構成または前記基本構成の梁受金物における前記接合板部を、前記の柱の側面またはこの側面に設けられた座彫りの底面に沿って配置し、前記立板部を前記第１の梁の端面に設けられた上下方向に延びるスリット内に挿通し、前記梁受金物の接合板部の前記挿通孔に、前記柱に挿通したボルトを挿通させてこのボルトにより前記接合板部を前記柱に固定し、前記第１の梁の前記ピン挿通孔に固定ピンを挿通しこの固定ピンを前記梁受金物の前記固定ピン挿通孔に挿通して前記第１の梁を前記梁受金物に受けさせ、前記第１の梁を貫通して進入する合わせ梁接合用のボルトを、前記梁受金物の前記切り欠きに挿通して前記合わせ梁接合用のボルトを前記合わせ梁の端面へ進入させたことを特徴とする。
【００１４】
この構成によると、木造建物の柱の側面に接合される梁と、その梁の側面に先端を突き合わせて接合される合わせ梁とを備える木造柱・梁の接合を、同一形状の１スリットタイプの梁受金物を用いて行うことができる。しかも、梁受金物が簡素な構成で済む。
【００１５】
この発明の木造柱・梁の接合構造において、前記梁受金物の他に、この梁受金物と同一形状の第２および第３の梁受金物を用い、第２の梁受金物は、前記柱の第２の梁側を向く側面またはこの側面に設けられた座彫りの底面に沿って配置し、第２の梁受金物の立板部を第２の梁の端面に設けられた上下方向に延びるスリット内に挿入し、第２の梁受金物の接合板部の挿通孔に、前記柱に挿通したボルトを挿通させてこのボルトにより第２の梁受金物の接合板部を前記柱に固定し、前記第２の梁の前記固定ピン挿通孔に固定ピンを挿通しこの固定ピンを前記第２の梁受金物の固定ピン挿通孔および固定ピン挿通切り欠きのいずれか一方または両方に挿通して前記第２の梁を前記梁受金物に受けさせ、第３の梁受金物は、第１の梁の第２の梁側を向く側面またはこの側面に設けられた座彫りの底面に沿って配置し、第３の梁受金物の立板部を前記合わせ梁の端面に設けられた上下方向に延びるスリット内に挿入し、第３の梁受金物の接合板部の挿通孔に、前記第１の梁に挿通したボルトを挿通させてこのボルトにより第３の梁受金物の接合板部を前記第１の梁に固定し、前記合わせ梁の前記ピン挿通孔に固定ピンを挿通しこの固定ピンを前記第３の梁受金物の前記固定ピン挿通孔および固定ピン挿通切り欠きのいずれか一方または両方に挿通して前記合わせ梁を前記第３の梁受金物に受けさせ、前記第２の梁受金物の相互接合部材挿通孔と第３の梁受金物の相互接合部材挿通孔とに渡って金物相互接合部材を挿通させても良い。
【００１６】
この構成の場合、柱の側面に接合される第２の梁を受ける第２の梁受金物と、前記第２の梁に隣接する合わせ梁を受ける第３の梁受金物とを、これら両梁受金物の立板部の相互接合部材挿通孔に渡って金物相互接合部材を挿通させることにより接合でき、合わせ梁にかかる鉛直荷重を効率よく柱に伝達することができる。
【００１７】
この発明の他の木造柱・梁の接合構造は、木造建物の柱と、この柱の上端面に下面が固定された木質の柱上梁と、この柱上梁の側面における前記柱の上方に位置する部分に対して端面が突き合わせ状態となる第１の梁と、前記柱上梁に沿い前記第１の梁に対して直角方向に延びて端面が前記第１の梁の側面突き合わせ状態となる合わせ梁とを接合する木造柱・梁の接合構造であって、この発明の前記いずれかの構成または前記基本構成の梁受金物における前記接合板部を、前記の柱上梁の側面またはこの側面に設けられた座彫りの底面に沿って配置し、前記立板部を前記第１の梁の端面に設けられた上下方向に延びるスリット内に挿通し、前記梁受金物の接合板部の前記挿通孔に、前記柱上梁に挿通したボルトを挿通させてこのボルトにより前記接合板部を前記柱上梁に固定し、前記第１の梁の前記ピン挿通孔に固定ピンを挿通しこの固定ピンを前記梁受金物の前記固定ピン挿通孔に挿通して前記第１の梁を前記梁受金物に受けさせ、前記第１の梁を貫通して進入する合わせ梁接合用のボルトを、前記梁受金物の前記切り欠きに挿通して前記合わせ梁接合用のボルトを前記合わせ梁の端面へ進入させたことを特徴とする。
【００１８】
この構成によると、柱上梁とこれに突き合わせられる梁との接合が、１スリットタイプ梁受金物で、合わせ梁の接合用のボルトとの干渉を回避して簡素な構成で行える。
【発明の効果】
【００１９】
この発明の木造建物の梁受金物は、立板部と、この立板部の基端となる側縁から折れ曲がって前記立板部の両側方または一側方に延びる接合板部とでなり、前記接合板部が、木造建物の柱およびこの柱上の柱上梁のいずれかの側面またはこの側面に設けられた座彫りの底面に沿って配置され、前記立板部が、前記柱または前記柱上梁の前記側面に対して突き合わせ状態となる第１の梁の端面に設けられた上下方向に延びるスリット内に挿入される梁受金物であって、前記立板部の先端に、前記第１の梁の先端に前記スリットを貫通して設けられたピン挿通孔に挿通された固定ピンを挿通させる固定ピン挿通孔および固定ピン挿通切り欠きのいずれか一方または両方を有し、前記接合板部における前記立板部の存在する幅方向位置に、前記柱と接合するボルトを挿通する梁受金物取付用のボルトの挿通孔を設けると共に、このボルトの突出部分が前記立板部と干渉することを回避する切り欠きを、前記立板部に基端から先端側へ延びて設け、この切り欠きの先端位置を、前記第１の梁の端部の側面に先端が当接された合わせ梁の端面へ前記第１の梁を貫通して進入する合わせ梁接合用のボルトが貫通可能な位置まで広げたことを基本構成とし、前記立板部における前記切り欠きの先端付近に、他の梁受金物と接合する金物相互接合部材を挿通する相互接合部材挿通孔を設けるか、または前記接合板部が、前記立板部の基端から折れ曲がって一側方に延びる接合板部主部と、前記切り欠きの形成により生じて前記接合板部主部と同一平面で延びる切り起こし片とでなるようにしたため、合わせ梁を備える木造柱・梁の接合構造において、１スリットタイプの梁受金物でありながら、柱または柱上梁への固定用のボルトの干渉が回避でき、かつ合わせ梁を接合するボルトとの干渉回避が簡素な構成で行えるという利点が得られる。
【００２０】
この発明の木造柱・梁の接合構造は、木造建物の木質の柱と、この柱の前記側面に対して端面が突き合わせ状態となる第１の梁と、この第１の梁に対して直角方向に延びて前記柱の側面に隣合う側面に端面が突き合わせ状態となる合わせ梁とを接合する木造柱・梁の接合構造であって、この発明の前記基本構成の梁受金物における前記接合板部を、前記の柱の側面またはこの側面に設けられた座彫りの底面に沿って配置し、前記立板部を前記第１の梁の端面に設けられた上下方向に延びるスリット内に挿通し、前記梁受金物の接合板部の前記挿通孔に、前記柱に挿通したボルトを挿通させてこのボルトにより前記接合板部を前記柱に固定し、前記第１の梁の前記ピン挿通孔に固定ピンを挿通しこの固定ピンを前記梁受金物の前記固定ピン挿通孔に挿通して前記第１の梁を前記梁受金物に受けさせ、前記第１の梁を貫通して進入する合わせ梁接合用のボルトを、前記梁受金物の前記切り欠きに挿通して前記合わせ梁接合用のボルトを前記合わせ梁の端面へ進入させたため、合わせ梁を有する木造柱・梁の接合を、同一形状の１スリットタイプの梁受金物を複数用いて行うことができ、しかも梁受金物が簡素な構成で済む。
【００２１】
この発明の他の木造柱・梁の接合構造は、木造建物の柱と、この柱の上端面に下面が固定された木質の柱上梁と、この柱上梁の側面における前記柱の上方に位置する部分に対して端面が突き合わせ状態となる第１の梁と、前記柱上梁に沿い前記第１の梁に対して直角方向に延びて端面が前記第１の梁の側面突き合わせ状態となる合わせ梁とを接合する木造柱・梁の接合構造であって、この発明の前記基本構成の梁受金物における前記接合板部を、前記の柱上梁の側面またはこの側面に設けられた座彫りの底面に沿って配置し、前記立板部を前記第１の梁の端面に設けられた上下方向に延びるスリット内に挿通し、前記梁受金物の接合板部の前記挿通孔に、前記柱上梁に挿通したボルトを挿通させてこのボルトにより前記接合板部を前記柱上梁に固定し、前記第１の梁の前記ピン挿通孔に固定ピンを挿通しこの固定ピンを前記梁受金物の前記固定ピン挿通孔に挿通して前記第１の梁を前記梁受金物に受けさせ、前記第１の梁を貫通して進入する合わせ梁接合用のボルトを、前記梁受金物の前記切り欠きに挿通して前記合わせ梁接合用のボルトを前記合わせ梁の端面へ進入させたため、柱上梁とこれに突き合わせられる梁との接合が、１スリットタイプ梁受金物で、合わせ梁の接合用のボルトとの干渉を回避して簡素な構成で行える。
【図面の簡単な説明】
【００２２】
【図１】この発明の木造建物の梁受金物の一実施形態を示す斜視図である。
【図２】同梁受金物を用いて柱・梁接合を行う木造建物の架構の一部を示す斜視図である。
【図３】同柱・梁接合構造の一例の分解斜視図である。
【図４】同柱・梁接合構造の他の例の分解斜視図である。
【図５】図３の同柱・梁接合構造の破断平面図である。
【図６】（Ａ）は図５におけるVIａ−VIａ矢視図として示す梁受金物の正面図、（Ｂ）は図５におけるVIｂ−VIｂ矢視図として示す梁受金物の正面図である。
【図７】図５の柱・梁接合構造での合わせ梁にかかる鉛直荷重の柱への伝達経路を示す破断平面図である。
【図８】同柱・梁接合構造での合わせ梁にかかる鉛直荷重の柱への伝達経路を示す斜視図である。
【図９】（Ａ）は実施形態の梁受金物の正面図、（Ｂ）は同左側面図、（Ｃ）は同右側面図、（Ｄ）は同底面図である。
【図１０】（Ａ）は同梁受金物を正使いした場合の正面図、（Ｂ）は同梁受金物を逆使いした場合の正面図である。
【図１１】（Ａ）は実施形態の梁受金物の他の構成例の正面図、（Ｂ）は同左側面図、（Ｃ）は同右側面図、（Ｄ）は同底面図である。
【図１２】（Ａ）は同梁受金物を正使いした場合の正面図、（Ｂ）は同梁受金物を逆使いした場合の正面図である。
【図１３】（Ａ）は実施形態の梁受金物のさらに他の構成例の正面図、（Ｂ）は同左側面図、（Ｃ）は同右側面図、（Ｄ）は同底面図である。
【図１４】（Ａ）は同梁受金物を正使いした場合の正面図、（Ｂ）は同梁受金物を逆使いした場合の正面図である。
【図１５】（Ａ）は実施形態の梁受金物のさらに他の構成例の正面図、（Ｂ）は同左側面図、（Ｃ）は同右側面図、（Ｄ）は同底面図である。
【図１６】（Ａ）は同梁受金物を正使いした場合の正面図、（Ｂ）は同梁受金物を逆使いした場合の正面図である。
【図１７】図２の柱・梁接合構造における第２および第４の梁に用いられる梁受金物の配置を示す平面図である。
【図１８】同梁受金物の柱へのボルトによる固定の説明図である。
【図１９】この実施形態の梁受金物により柱上梁に第１の梁を接合した柱・梁接合が可能な木造柱・梁の接合構造の例を示す斜視図である。
【図２０】同木造柱・梁の接合構造の破断平面図である。
【図２１】この実施形態の梁受金物による接合が可能なさらに他の木造柱・梁の接合構造の例を示す斜視図である。
【図２２】同木造柱・梁の接合構造の破断平面図である。
【図２３】（Ａ）は従来例の破断平面図、（Ｂ）は同正面図である。
【図２４】（Ａ）は他の従来例の破断平面図、（Ｂ）は同正面図である。
【図２５】従来例の課題の説明図である。
【発明を実施するための形態】
【００２３】
この発明の一実施形態を図１ないし図１８と共に説明する。図１はこの発明の木造建物の梁受金物の一実施形態の斜視図を示し、図２はその梁受金物を用いて柱・梁接合を行う木造建物の架構の一部の斜視図を示す。この実施形態の梁受金物１は、図９（Ａ），（Ｂ），（Ｃ），（Ｄ）に、正面図，左側面図，右側面図，および底面図で示すように、立板部２と、この立板部２の基端となる側縁から折れ曲がって立板部２の両側方に延びる接合板部３とでなる。なお、接合板部３は立板部２の一側方にのみ延びる構成としても良い。図１０（Ａ）はその梁受金物１の正使いの場合の正面図を示し、図１０（Ｂ）はその梁受金物１の逆使い（正使いの場合と表裏面を逆にした姿勢）の場合の正面図を示している。なお、逆使いとするのは、複数の梁受金物１を互いに近くに配置する場合に、一部の梁受金物１を逆使いとするとすることで、この梁受金物１に設けられる後述の各孔や切欠の位置が互いにずれ、これらに挿通されるピンやボルトが干渉することが回避できるためである。
【００２４】
図２の木造建物の架構の分解斜視図を示す図３のように、梁受金物１の接合板部３は、柱２０の一側面に沿って配置される。なお、接合板部３は、図１９，図２０の例と共に後述するように、柱上梁３０Ｅの側面に沿って配置される場合もある。図３において、梁受金物１の立板部２は、柱２０の前記側面に対して突き合わせ状態となる第１の梁３０Ａの端面に設けられた上下方向に延びるスリット３１内に挿入される。なお、図３では、第１の梁３０Ａに対応する梁受金物１のみを図示したが、第２〜第４の梁３０Ｂ，３０Ｃ，３０Ｄにも、これらに対応する同じ構造の梁受金物１が配置される。
【００２５】
また、図３に示した例では、柱２０の側面に梁受金物１の接合板部３を沿わせる座彫りを設けずに、梁３０Ａ〜３０Ｄの端面に接合板部３を逃がす座彫り３２を設けているが、別の構成例を示す図４のように、柱２０の側面に座彫り２２を設けても良い。なお、図４の例では、第３の梁である合わせ梁３０Ｃの端面が突き合わせ状態となる第１の梁３０Ａの側面に、合わせ梁３０Ｃに対応する梁受金物１の接合板部３を沿わせる座彫り３３を設けている。なお、合わせ梁３０Ｃは、例えば、階高を抑えたいが、撓み制限上で梁成があげられない場合等に用いられる。すなわち、合わせ梁３０Ｃで撓みを抑える。
【００２６】
梁受金物１の立板部２の先端には、第１の梁３０Ａの先端に前記スリット３１を貫通して設けられた複数のピン挿通孔３４に挿通された固定ピン４を挿通させる複数（ここでは６つ）の固定ピン挿通孔５および複数（ここでは２つ）の固定ピン挿通切り欠き６が設けられている。複数のピン挿通孔３４およびその並びの上下に位置する上向きおよび下向きの固定ピン挿通切り欠き６は、互いに立板部２の同じ幅方向位置で１列に上下に並べて設けられている。梁３０Ａに設けられるピン挿通孔３４は、第２〜第４の梁３０Ｂ〜３０Ｄにも設けられる。また、梁受金物１の接合板部３における立板部２の存在する幅方向位置には、柱２０と接合する梁受金物取付用のボルト７（図５）を挿通する複数（ここでは４つ）のボルト挿通孔８（図１）が設けられている。さらに、梁受金物１の立板部２には、前記ボルト７の柱２０からの突出部分が立板部２と干渉することを回避するための複数（ここでは４つ）の切り欠き９が、立板部２の基端から先端側へ延びて設けられている。この切り欠き９の先端位置は、第１の梁３０Ａの端部の側面に先端が当接された合わせ梁３０Ｃの端面へ、第１の梁３０Ａを貫通して進入する合わせ梁接合用のボルト１０が貫通可能な位置まで広げられている。具体的には、前記切り欠き９の先端位置は、立板部２の横幅の中央位置よりも先端側とされている。
【００２７】
さらに、梁受金物１の立板部２における前記切り欠き９の先端付近には、他の梁受金具１と接合する金物相互接合部材１１を挿通する複数（ここでは３つ）の相互接合部材挿通孔１２が設けられている。金物相互接合部材１１として、ここではボルトが用いられるが、ピンであっても良い。
【００２８】
梁受金物１の接合板部３は、立板部２の基端から折れ曲がって一側方に延びる接合板部主部３ａと、前記切り欠き９の形成により生じて接合板部主部３ａと同一平面で延びる切り起こし片３ｂとでなる。このように切り欠き９の形成で生じる切り起こし片３ｂを接合板部３の一部とすることで、溶接などの接続処理を要することなく、１枚の板から梁受金物１を形成でき、加工が容易である。
【００２９】
次に、前記梁受金物１を用いて、図２に示す柱・梁接合構造を構築する手順を以下に説明する。図５のように、上記した梁受金物１における接合板部３を、第１の梁３０Ａの端面が突き合わされる柱２０の側面に沿って配置し、接合板部３のボルト挿通孔８に、柱２０に挿通した梁受金物取付用のボルト７を挿通させて、このボルト７により接合板部３を柱２０に固定する。なお、柱２０には、前記ボルト７を挿通させるボルト挿通孔２１（図３、図４）が予め設けられている。図４のように、柱２０の側面に座彫り２２が設けられている場合には、その座彫り２２の底面に沿って接合板部３を配置し、その接合板部３をボルト７で固定する。このようにして柱２０に固定した梁受金物１の立板部２を、第１の梁３０Ａの端面に設けられた上下方向に延びるスリット３１内に挿入し、この梁３０Ａのピン挿通孔３４に固定ピン４（図３，図４）を挿通し、この固定ピン４を梁受金物１の立板部２の固定ピン挿通孔５に挿通して、第１の梁３０Ａを梁受金物１に受けさせる。このとき、最下部の固定ピン４は、梁３０Ａのピン挿通孔３４に先に通しておき、その固定ピン４を梁受金物１の固定ピン挿通切り欠き６に載せる。その後、他の固定ピン４を固定ピン挿通孔５する。これより、作業時に梁３０Ａを作業者が支えておく必要がなくなり、施工性が向上する。
【００３０】
第１の梁３０Ａに対して直角方向に延びて、前記柱２０の他の側面に突き合わせ状態となる第２の梁３０Ｂについても、第１の梁３０Ａと同様に第２の梁受金物１を介して柱２０の側面に接合する。すなわち、第２の梁受金物１における接合板部３を、第２の梁３０Ｂの端面が突き合わされる柱２０の側面に沿って配置し、接合板部３のボルト挿通孔８に、柱２０に挿通した梁受金物取付用のボルト７を挿通させて、このボルト７により接合板部３を柱２０に固定する。このようにして柱２０に固定した第２の梁受金物１の立板部２を、第２の梁３０Ｂの端面に設けられた上下方向に延びるスリット３１内に挿入し、この梁３０Ｂのピン挿通孔３４に固定ピン４（図３，図４）を挿通し、この固定ピン４を第２の梁受金物１の立板部２の固定ピン挿通孔５や固定ピン挿通切り欠き６に挿通して、第２の梁３０Ｂを第２の梁受金物１に受けさせる。
【００３１】
この第２の梁３０Ｂに重ねて配置されて、端面が前記第１の梁３０Ａの側面に突き合わせ状態となる第３の梁である合わせ梁３０Ｃについては、第１の梁３０Ａの側面に固定した第３の梁受金物１に受けさせる。すなわち、第３の梁受金物１における接合板部３を、第１の梁３０Ａの側面に沿って配置し、第１の梁３０Ａを貫通して進入する合わせ梁接合用のボルト１０を、梁３０Ａを受ける前記第１の梁受金物１における立板部２の切り欠き９に挿通して合わせ梁３０Ｃの端面へ進入させる。この合わせ梁接合用のボルト１０を、第１の梁３０Ａの側面に配置した第３の梁受金物１における接合板部３のボルト挿通孔８に挿通させて、このボルト１０により接合板部３を第１の梁３０Ａの側面に固定する。なお、第１の梁３０Ａには、前記ボルト１０を挿通させるボルト挿通孔３５（図３、図４）が予め設けられている。図４のように、第１の梁３０Ａの側面に座彫り３３が設けられている場合には、その座彫り３３の底面に沿って接合板部３を配置し、ボルト１０で固定する。このようにして第１の梁３０Ａの側面に固定した第３の梁受金物１の立板部２を、合わせ梁３０Ｃの端面に設けられた上下方向に延びるスリット３１内に挿入し、この梁３０Ｃのピン挿通孔３４に固定ピン４を挿通し、この固定ピン４を第３の梁受金物１の立板部２の固定ピン挿通孔５や固定ピン挿通切り欠き６に挿通して、合わせ梁３０Ｃを第３の梁受金物１に受けさせる。なお、図５では、固定ピン４を図示していない。
【００３２】
第２の梁３０Ｂおよび合わせ梁３０Ｃの先端には、上記した金物相互接合部材１１を挿通させる複数の相互接合部材挿通孔３６が設けられている。この２つの梁３０Ｂ，３０Ｃの前記相互接合部材挿通孔３６に、金物相互接合部材１１を挿通し、この金物相互接合部材１１をさらに第２および第３の梁受金物１における立板部２の相互接合部材挿通孔１２に渡って挿通することで、第２および第３の梁受金物１が接合される。なお、図６（Ａ）は図５におけるVIａ−VIａ矢視断面図を示し、図６（Ｂ）は図５におけるVIｂ−VIｂ矢視断面図を示す。
【００３３】
このように構成した柱・梁接合構造では、合わせ梁３０Ｃにかかる鉛直荷重は、図７および図８に矢印で示す伝達経路で柱２０に伝達される。すなわち、合わせ梁３０Ｃに入った鉛直荷重は、金物相互接合部材１１を通じて、直接柱２０に取り合う第２の梁受金物１に伝達される。これとは別に、合わせ梁３０Ｃを受ける第３の梁受金物１から、第１の梁３０Ａを受ける第１の梁受金物１を通じても、鉛直荷重を柱２０に伝達することができ、荷重の伝達効率が向上する。
【００３４】
また、この梁受金物１によると、梁３０Ａのスリット３１に挿入される立板部２と柱２０に固定する接合板部３とを有し、柱２０へ接合するボルト７が立板部２と干渉することを回避する切り欠き９を前記立板部２に設けたため、１スリットタイプでありながら、柱２０への接合用のボルト７の干渉が回避できる。また、この切り欠き９の先端位置を、合わせ梁３０Ｃの接合用のボルト１０が貫通可能な位置まで広げたため、合わせ梁３０Ｃの接合用ボルト１０との干渉も回避できる。しかも、柱２０への接合用のボルト７の干渉を回避するための切り欠き９の先端位置を広げただけで、合わせ梁３０Ｃの接合用のボルト１０との干渉も回避でき、前記切り欠き９を２種のボルト７，１０の干渉回避に兼用できる。そのため、それぞれのボルト７，１０に対する専用の干渉回避部分を形成する必要がなく、梁受金物１が簡素な構成となる。切り欠き９の先端位置を広げたことに伴い、その切り欠き９をボルト締め作業に利用できて、図１８と共に後述するように、ボルト７の締め付け用の工具種類の選択や、締め付け方法の選択の自由度も高まる。
【００３５】
図１１（Ａ），（Ｂ），（Ｃ），（Ｄ）は、前記梁受金物１の他の構成例の正面図，左側面図，右側面図，および底面図を示す。この構成例では、ボルト挿通孔８および切り欠き９がそれぞれ１つとされ、固定ピン挿通孔５は一つ、固定ピン挿通切り欠き６は上下の２つとされており、相互接合部材挿通孔１２は省略されている。図１２（Ａ）はその梁受金物１の正使いの場合の正面図を示し、図１２（Ｂ）はその梁受金物１の逆使いの場合の正面図を示している。
【００３６】
図１３（Ａ），（Ｂ），（Ｃ），（Ｄ）は、前記梁受金物１のさらに他の構成例の正面図，左側面図，右側面図，および底面図を示す。この構成例では、ボルト挿通孔８および切り欠き９がそれぞれ３つ、固定ピン挿通孔５が４つ、固定ピン挿通切り欠き６が２つとされており、相互接合部材挿通孔１２は省略されている。図１４（Ａ）はその梁受金物１の正使いの場合の正面図を示し、図１４（Ｂ）はその梁受金物１の逆使いの場合の正面図を示している。
【００３７】
図１５（Ａ），（Ｂ），（Ｃ），（Ｄ）は、前記梁受金物１のさらに他の構成例の正面図，左側面図，右側面図，および底面図を示す。この構成例では、ボルト挿通孔８および切り欠き９がそれぞれ２つ、固定ピン挿通孔５および固定ピン挿通切り欠き６がそれぞれ２つとされており、さらに２つの相互接合部材挿通孔１２が設けられている。図１６（Ａ）はその梁受金物１の正使いの場合の正面図を示し、図１６（Ｂ）はその梁受金物１の逆使いの場合の正面図を示している。
【００３８】
図５では、図２〜図４における第４の梁３０Ｄが無い場合の接合構造を示したので、第２の梁３０Ｂを受ける第２の梁受金物１を柱２０の側面に固定するのに、梁受金物取付用のボルト７を、第２の梁３０Ｂの配置側とは反対側から柱２０に設けたボルト挿通孔２１に挿通させた。しかし、第４の梁３０Ｄも柱２０の側面に接合する場合には、図１７に示すように、柱２０を挟んで直線上に並ぶ第２の梁３０Ｂと第４の梁３０Ｄを受ける第２および第４の梁受金物１は、柱２０の互いに背面合わせとなる側面に固定されることになる。この場合、ここで用いられる梁受金物１は、接合板部３の各ボルト挿通孔８に対応して、立板部２にその基端から先端側に延びる切り欠き９が設けられているので、図１８に示すように梁受金物取付用のボルト７として片引きボルトを使用することにより、柱２０における梁受金物１の配置側から、立板部２と干渉することなく接合板部３のボルト挿通孔８にボルト７を挿入して接合板部３を柱２０の側面に固定することができる。ボルト７の締付けにおいては、ボルト７の頭部にユニバーサルジョイント４０を取付け、インパクトで施工することができる。
【００３９】
このように、上記構成の梁受金物１によると、木造建物の柱２０の側面に接合される梁３０Ａと、その梁３０Ａの側面に先端を突き合わせて接合される合わせ梁３０Ｃとを備える木造柱・梁の接合を、同一の１スリットタイプの梁受金物１を複数用いて行うことができる。
【００４０】
なお、この実施形態では、柱２０を挟んで互いに直角方向に延びる第１および第２の梁３０Ａ，３０Ｂのほか、第２の梁３０Ｂに重ねて配置され端面が第１の梁３０Ａの側面に突き合わせ状態となる合わせ梁３０Ｃを接合する場合の柱・梁接合構造について示した。しかし、上記梁受金物１を用いた柱・梁接合構造は、これに限らず他の接合構造にも適用できる。その例を以下に説明する。
【００４１】
図１９，図２０は、さらに他の実施形態に係る木造柱・梁の接合構造を示す。この例は木造建物の木質の柱２０の上端面に木質の柱上梁３０Ｅを固定し、この柱上梁３０Ｅに対して第１の梁３０Ａを梁受金物１で固定した例を示す。図１〜図５と共に説明した例とは、第１の梁３０Ａを柱２０に接合するか、柱上梁３０Ｅに接合するかの点の他は同様であり、一応説明するが、対応部分は同一符号を付して説明を省略する場合がある。合わせ梁３０Ｃは柱上梁３０Ｅに沿って配置される。柱２０の上端面へ柱上梁３０Ｅを固定する構造は、いずれの構造であっても良く、ここでは説明を省略する。この例では２個の梁受金物１を用いるが、この梁受金物１は、上記いずれの構成のものであっても良い。
【００４２】
柱上梁３０Ｅと第１の梁３０Ａとの接合については、梁受金物１における接合板部３を柱上梁３０Ｅの側面に沿って配置する。なお、柱上梁３０Ｅの側面に座彫り（図示せず）を設けて底面に沿って配置しても良い。立板部２を第１の梁３０Ａの端面に設けられた上下方向に延びるスリット３１内に挿通する。梁受金物１の接合板部３の挿通孔８（図１）に、柱上梁３０Ｅに挿通したボルト７（図２０）を挿通させ、このボルト７により接合板部３を柱上梁３０Ｅに固定する。第１の梁３０Ａのピン挿通孔３４に固定ピン４を挿通し、この固定ピン４を梁受金物１の固定ピン挿通孔５に挿通して第１の梁３０Ａを梁受金物１に受けさせる。
【００４３】
合わせ梁３０Ｃは柱上梁３０Ｅに沿って配置し、他の梁受金物１によって第１の梁３０Ａに接合する。この場合に、第１の梁３０Ａを貫通して進入する合わせ梁接合用のボルト１０は、柱上梁３０Ｅに対して第１の梁３０Ａを固定する梁受金物１の切り欠き９（図１）に挿通して、合わせ梁３０Ｃの端面へ進入させ、前記他の梁受金物１に固定する。
【００４４】
このように、柱上梁３０Ｅに第１の梁３０Ａを接合する場合も、１スリットタイプ梁受金物１で、合わせ梁３０Ｃの接合用のボルト１０との干渉を回避し、簡素な構成で行うことができる。
【００４５】
図２１，図２２は、前記接合金物１を利用する造柱・梁の接合構造の応用例を示す。この例は、木質の柱２０と、この柱２０の上に木質の柱上梁３０Ｅ′を設け、この柱上梁３０Ｅ′に対して直角方向に延びて柱上梁３０Ｅ′の側面に端面が突き合わせ状態となる直交側の梁３０Ｆを設け、かつ合わせ梁３０Ｇを設けた木造柱・梁の接合構造である。これら直交側の梁３０Ｆおよび合わせ梁３０Ｇは、いずれも、一端の端面が柱上梁３０Ｅ′に突き合わせ状態とされ、図１または前記いずれかの実施形態に係る梁受金物１で柱上梁３０Ｅ′に接合される。直交側の梁３０Ｆおよび合わせ梁３０Ｇの下方には、前記柱２０とその隣の柱２０Ａとの間で、耐力壁４５が設けられている。耐力壁４５は、例えば合板等からなる。耐力壁４５の柱２０と反対側の端部には、別の柱２０′が設けられている。
【００４６】
各梁受金物１は、その接合板部３（図１）を、柱上梁３０Ｅ′の側面またはこの側面に設けられた座彫りの底面に沿って配置し、直交側の梁３０Ｆおよび合わせ梁３０Ｇの端面に設けられた上下方向に延びるスリット３１内に挿通する。また、接合板部３の前記ボルト挿通孔８（図１）に、柱上梁３０Ｅに挿通したボルト１０を挿通させてこのボルト１０により接合板部３を柱上梁３０Ｅ′に固定する。直交側の梁３０Ｆおよび合わせ梁３０Ｇには、ピン挿通孔３４が設けられ、このピン挿通孔３４と梁受金物１の固定ピン挿通孔５とに渡って固定ピン４を挿通し、これら直交側の梁３０Ｆおよび合わせ梁３０Ｇを梁受金物１に受けさせる。
【００４７】
また、直交側の梁３０Ｆおよび合わせ梁３０Ｇには、合わせ梁接合用のボルト１０を挿通するボルト挿通孔３５が設けられ、これら２本の梁３０Ｆ，３０Ｇと、各梁受金物１の立板部２に設けられた相互接合部材挿通孔１２とに渡ってピンからなる金物相互接合部材１１を挿通し、２つの梁受金物１，１を相互に接合する。
【００４８】
このように、上記実施形態の梁受金物１は、柱上梁３０Ｅとこれに突き合わせられる直交側の梁３０Ｆおよび合わせ梁３０Ｇの接合にも利用することができる。
【００４９】
以上のように、この発明の各実施形態により、次の効果を得ることができる。
・  梁受金物１の柱２０への固定において、梁受金物取付用のボルト７として片引きボルトを挿入できるので、柱２０の互いに背面合わせとなる両側面に梁受金物１を固定する場合でも、無理なく固定することができる。この場合に、ユニバーサルジョイント４０を用いてボルト・ナットを取り付けることができるので、施工が簡単になる。
・  梁受金物１における立板部２の切り欠き９の大きさをコントロールすることで、地震時に金属部分である立板部２を変形させて潰すことができる。したがって、木部である梁で破壊させるよりも性状が安定する。
・  施工現場などへ梁受金物１を搬入するとき、梁受金物１を重ねやすいので、梱包が小さくて済む。
・  同一構面に壁線を２つ設けることができ、少ない壁長で効率良く有効な耐力壁を形成できる。
・  鉛直荷重を受けるために梁せいが上がる場合、合わせ梁を使うことで、建物の階高を抑えることができ、コストダウンできる。
・  合わせ梁３０Ｃの場合に、梁端部同士を接続することができるので、梁端部にかかる鉛直せん断力を効率良く柱２０に伝達できる。
【符号の説明】
【００５０】
１…梁受金物
２…立板部
３…接合板部
３ａ…接合板部主部
３ｂ…切り起こし片
４…固定ピン
５…固定ピン挿通孔
６…固定ピン挿通切り欠き
７…梁受金物取付用のボルト
８…ボルト挿通孔
９…切り欠き
１０…合わせ梁接合用のボルト
１１…金物相互接合部材
１２…相互接合部材挿通孔
２０…柱
２２…座彫り
３０Ａ…第１の梁
３０Ｂ…第２の梁
３０Ｃ…合わせ梁
３０Ｅ…柱上梁
３１…スリット
３３…合わせ梁の座彫り
３４…ピン挿通孔
【図１】
0005889589.tif 000002
【図２】
0005889589.tif 000003
【図３】
0005889589.tif 000004
【図４】
0005889589.tif 000005
【図５】
0005889589.tif 000006
【図６】
0005889589.tif 000007
【図７】
0005889589.tif 000008
【図８】
0005889589.tif 000009
【図９】
0005889589.tif 000010
【図１０】
0005889589.tif 000011
【図１１】
0005889589.tif 000012
【図１２】
0005889589.tif 000013
【図１３】
0005889589.tif 000014
【図１４】
0005889589.tif 000015
【図１５】
0005889589.tif 000016
【図１６】
0005889589.tif 000017
【図１７】
0005889589.tif 000018
【図１８】
0005889589.tif 000019
【図１９】
0005889589.tif 000020
【図２０】
0005889589.tif 000021
【図２１】
0005889589.tif 000022
【図２２】
0005889589.tif 000023
【図２３】
0005889589.tif 000024
【図２４】
0005889589.tif 000025
【図２５】
0005889589.tif 000026